(57)【特許請求の範囲】
【請求項１】
照明された空調機内部を撮影して観察する空調機内部観察装置において、
ランプおよびデジタルカメラが正面に配置されるカメラヘッドと、
上記カメラヘッドの裏面が一端に固定され、上記カメラヘッドの正面が向く方向を自在に変えるとともに変えた方向を維持するフレキシブルアームと、
上記フレキシブルアームの途中を固定するとともに空調機のルーバーの狭い隙間を通過できる細い管と、
上記細い管の一端が一端に固定され、伸縮可能なロッドと、
上記ロッドの一端に配置され、上記デジタルカメラが撮影した画像信号を無線信号に変換して送信するカメラ送信部と、
上記ロッドの他端に配置され、無線信号を受信し画像信号に変換するカメラ受信部と、
を備えることを特徴とする空調機内部観察装置。
【請求項２】
上記ロッドの他端に配置され、上記デジタルカメラにより撮影された画像信号から得られる画像が表示されるモニタを備えることを特徴とする請求項１に記載する空調機内部観察装置。
【発明の詳細な説明】
【技術分野】
【０００１】
この発明は、空調機のメンテナンス時期を見定めるために空調機内部を観察する空調機内部観察装置に関する。
【背景技術】
【０００２】
従来の空調機の内部観察装置は、室内側装置の内部に入れて、室内側装置の内部を撮像する撮像手段と、撮像手段で撮像した画像を表示する表示手段と、撮像手段で画像を撮像する作業者に表示手段を装着するための手段と、撮像手段で撮像した画像を記録する記録手段とを備えている（例えば、特許文献１参照）。
また、工業用内視鏡画像観察装置は、観察手段を有する細長な挿入部及び無線により内視鏡画像情報を送信する情報送信手段を備えた内視鏡と、内視鏡画像情報を無線により受信する受信手段を具備した内視鏡画像観察装置とを備える（例えば、特許文献２参照）。
【０００３】
【特許文献１】特開２００２−１０１３２１号公報
【特許文献２】特開平１１−２１１９９７号公報
【発明の開示】
【発明が解決しようとする課題】
【０００４】
しかし、画像伝送コードのＣＣＤカメラが搭載された先端部を、天井カセットタイプや天井埋込タイプの空調機のルーバーの隙間から挿入して観察するためには、脚立上に立って先端部をその隙間から挿入しなければならないので、空調機の下方の脚立を立てる場所を養生したり、必要であれば家具類を移動したりしなければならず、準備に時間が掛かるとともに作業できる時間も制限されるという問題がある。
また、空調機の内部のうち、ドレンパンの流路はルーバーの隙間からは見えないので、化粧パネルなどを取り外してからでないと撮影し観察できないという問題がある。
【０００５】
この発明の目的は、天井に設置された空調機の内部を空調機を開くことなく足場なども用意することなく観察する空調機内部観察装置を提供することである。
【課題を解決するための手段】
【０００６】
この発明に係わる空調機内部観察装置は、照明された空調機内部を撮影して観察する空調機内部観察装置において、ランプおよびデジタルカメラが正面に配置されるカメラヘッドと、上記カメラヘッドの裏面が一端に固定され、上記カメラヘッドの正面が向く方向を自在に変えるとともに変えた方向を維持するフレキシブルアームと、上記フレキシブルアームの途中を固定するとともに空調機のルーバーの狭い隙間を通過できる細い管と、上記細い管の一端が一端に固定され、伸縮可能なロッドと、上記ロッドの一端に配置され、上記デジタルカメラが撮影した画像信号を無線信号に変換して送信するカメラ送信部と、上記ロッドの他端に配置され、無線信号を受信し画像信号に変換するカメラ受信部と、を備える。
【発明の効果】
【０００７】
この発明に係わる空調機内部観察装置の効果は、管の先端でネジにより根元が固定されたフレキシブルアームによりカメラヘッドの向く方向を下向きにすることにより、上方から見ないと分からない空調機の内部の汚れの様子を観察することができる。
【発明を実施するための最良の形態】
【０００８】
図１は、この発明に係わる空調機内部観察装置の外観図である。図２は、この発明に係わるカメラヘッドの外観図である。
この発明に係わる空調機内部観察装置１は、図２に示すように、撮影する対象を照明するランプ２および対象を撮影して画像信号を生成するデジタルカメラ３を正面に向くようにして収納するカメラヘッド４を備える。
また、空調機内部観察装置１は、図１に示すように、カメラヘッド４の正面の向きを自在に可変可能に支持するフレキシブルアーム５、デジタルカメラ３からの画像信号を伝送する信号線６、信号線６が接続され、デジタルカメラ３からの画像信号を無線信号に変換して送信するカメラ送信部７、信号線６が通され、カメラ送信部７に支持される管８、カメラ送信部７を一方の端部で支持し、長さが伸縮可能なロッド９、ロッド９の他方の端部に取り付けられ、カメラ送信部７からの無線信号を受信し画像信号に変換するカメラ受信部１０、カメラ受信部１０に接続され、画像信号を記憶するレコーダ１１を備える。
【０００９】
フレキシブルアーム５は、先端に取り付けられたカメラヘッド４のデジタルカメラ３が撮影する方向を自在に変えることができるように、手により曲げられる。さらに、フレキシブルアーム５は、小さな力が加わったときでも曲げられた形状が維持されるように変形しない、例えば、グースネックアームなどである。
管８は、狭い隙間を通過できるように、例えば、外径が９ｍｍである。また、管８の先端８ａには、フレキシブルアーム５の管８からとびだした根元を固定するネジ１２が設けられている。
【００１０】
ロッド９は、径の異なる３本のパイプ１４ａ、１４ｂ、１４ｃから構成され、１番外径が小さなパイプ１４ａの外径が２番目に外径の小さなパイプ１４ｂの内径より僅かに小さく、１番外径が小さなパイプ１４ａが２番目に外径の小さなパイプ１４ｂ内に収納され、２番目に外径が小さなパイプ１４ｂの外径が３番目に外径の小さなパイプ１４ｃの内径より僅かに小さく、２番目に外径が小さなパイプ１４ｂが３番目に外径の小さなパイプ１４ｃ内に収納される。そして、２番目に外径の小さなパイプ１４ｂの一端に設けられた締結部材１５ａを弛めると１番外径の小さなパイプ１４ａを引き出したり納めたりすることができる。また、３番目に外径の小さなパイプ１４ｃの一端に設けられた締結部材１５ｂを弛めると２番目に外径の小さなパイプ１４ｂを引き出したり納めたりすることができる。
【００１１】
締結部材１５ａ、１５ｂを締め付けると、締結部材１５ａ、１５ｂが設けられたパイプ１４ｂ、１４ｃに締め付けられたパイプ１４ａ、１４ｂが固定される。ロッド９の長さを所望の長さにすることは、締結部材１５ａ、１５ｂを弛めてパイプ１４ａ、１４ｂを動かし、所望の長さになったら締結部材１５ａ、１５ｂを締め付けることにより行われる。
レコーダ１１は、画像信号を表示する液晶モニタ１６を具備し、デジタルカメラ３が撮影している画像を見ながらカメラヘッド４を移動させることができる。
【００１２】
ランプ２は、高輝度の白色ＬＥＤであり、デジタルカメラ３は、高画質の４１万画素のＣＣＤカメラである。白色ＬＥＤのランプ２であるので、撮影された対象の色が忠実に再現することができる。なお、ランプ２は、ＬＥＤランプに限るものではなく、照明できるものであればよい。また、デジタルカメラ３は、ＣＣＤカメラに限るものではなく、撮影してデジタルの画像信号を生成するものであればよい。
【００１３】
図３は、空調機のドレンパンの平面図である。図４は、フレキシブルアームの曲げの程度を変えた様子を示す図である。
次に、天井に配置された空調機の内部をこの発明に係わる空調機内部観察装置１を用いて観察するときの空調機内部観察装置１の操作について説明する。
観察する人は、天井に配置された空調機の内部を観察するために、吹き出し口のルーバーの隙間からカメラヘッドを挿入する位置を設計図面から選択する。通常、ドレン水を受けるドレンパンの流路や熱交換器が観察の対象になり、そこでは雑菌が繁殖し、水が滞留し、水漏れや異常停止などの故障の原因となるので、主にこれらの箇所を観察し、メンテナンスの時期を判断する。
【００１４】
その観察する箇所に対応するルーバーの隙間と箇所とを考えて、フレキシブルアーム５の曲げ方を検討する。例えば、ドレンパン２１の流路２２を観察する場合、図３に示すように、上流２２ａから下流２２ｂまでの流路２２とドレン水を吸い上げる図示しないポンプが配設されている水溜部２３では、ルーバーの隙間２４からの距離が異なっている。
そこで、フレキシブルアーム５の曲げ方を、流路２２を観察する場合、図４（ａ）に示すように、曲率θを小さくし、管８とカメラヘッド４との距離を小さくしてルーバーの隙間２４に近い流路２２を観察できるようにする。一方、水溜部２３を観察する場合、図４（ｂ）に示すように、曲率θ’を大きくし、管８とカメラヘッド４との距離を大きくなるようにしてルーバーの隙間２４から離れた水溜部２３を観察できるようにする。
【００１５】
カメラ送信部７、カメラ受信部１０、レコーダ１１の電源をＯＮする。
次に、ロッド９をルーバーの隙間２４にカメラヘッド４、フレキシブルアーム５および管８が挿入できるように伸長し締結部材１５ａ、１５ｂで固定する。
次に、ルーバーの隙間２４からカメラヘッド４、フレキシブルアーム５をルーバーに当たらないように、ルーバーの長手方向にフレキシブルアーム５が曲げられた方向が向くようにして挿入する。
次に、液晶モニタの画面を見ながらロッド９を回転して、観察対象の箇所を観察する。
【００１６】
図５は、この発明に係わる空調機内部観察装置１により観察したドレンパンの流路の画像である。
ここで１例としてドレンパン２１の流路２２を観察した画像を図５を参照して説明する。ドレンパン２１の流路２２にスライムが発生していると、図５（ａ）に示すように、赤茶色のスライムが映し出される。一方、ドレンパン２１の流路２２にスライムが発生していないと、図５（ｂ）に示すように、青みがかったドレンパン２１が映し出される。このように、スライムやその他のカビなどに係わる赤茶色や黒色のものにより覆われた範囲を判断することによりメンテナンス時期を予測することができる。
【００１７】
図６は、この発明に係わる空調機内部観察装置１により観察した熱交換器の画像である。
また、他の１例として熱交換器を観察した画像を図６を参照して説明する。熱交換器に汚れが付着していると、図６（ａ）に示すように、赤茶色のものが熱交換器の表面に多数付いていることが分かる。一方、熱交換器に汚れが付着していないと、青みがかった熱交換器が映し出される。このように熱交換器の汚れもドレンパン２１の流路２２のスライムと同様にして程度を判断することができる。
【００１８】
このような空調機内部観察装置１は、管８の先端でネジ１２により根元が固定されたフレキシブルアーム５によりカメラヘッド４の向く方向を下向きにすることにより、上方から見ないと分からないドレンパン２１の流路２２の汚れの様子を観察することができる。
また、フレキシブルアーム５によりカメラヘッド４の向く方向を可変することができるので、フレキシブルアーム５が挿入される位置からの距離が異なっていても対象の箇所を観察することができ、観察範囲を拡げることができる。
【００１９】
また、細い管８の先端でネジ１２によりフレキシブルアーム５の根元が固定されるので、ルーバーの隙間２４のように狭い隙間にも管８を挿入でき、所望の箇所を観察することができる。
また、ロッド９が伸長可能であり、デジタルカメラの画像信号がカメラ送信部とカメラ受信部との間で送受信されるので、床から天井裏に相当する空調機のドレンパンや熱交換器を観察することができ、観察作業が大幅に簡略化することができる。
【図面の簡単な説明】
【００２０】
【図１】この発明に係わる空調機内部観察装置の外観図である。
【図２】この発明に係わるカメラヘッドの外観図である。
【図３】空調機のドレンパンの平面図である。
【図４】フレキシブルアームの曲げの程度を変えた様子を示す図である。
【図５】この発明に係わる空調機内部観察装置１により観察したドレンパンの流路の画像である。
【図６】この発明に係わる空調機内部観察装置１により観察した熱交換器の画像である。
【符号の説明】
【００２１】
１  空調機内部観察装置、２  ランプ、３  デジタルカメラ、４  カメラヘッド、５  フレキシブルアーム、６  信号線、７  カメラ送信部、８  管、９  ロッド、１０  カメラ受信部、１１  レコーダ、１２  ネジ、１４ａ、１４ｂ、１４ｃ  パイプ、１５ａ、１５ｂ  締結部材、１６  液晶モニタ、２１  ドレンパン、２２  流路、２３  水溜部、２４  ルーバーの隙間。
【図１】
0004494358.tif 000002
【図２】
0004494358.tif 000003
【図３】
0004494358.tif 000004
【図４】
0004494358.tif 000005
【図５】
0004494358.tif 000006
【図６】
0004494358.tif 000007